(57)【要約】      （修正有）【課題】人体の被測定部位に装着する際に帯状体の留め金具側の先端部が被測定部位と上記帯状体との間に挟まれることを防止できる血圧計を提供する。【解決手段】帯状体１５の直線部１５ｃにおける本体１３よりも一端１５ａ側には、全域に亘ってシート状の補強部材２１を設けて、曲げ剛性を高めている。こうすることにより、手で直線部１５ｃの本体１３を持っても、本体１３よりも先端１５ａ側が本体１３に対して垂れ下がることはなく、本体１３を手首に密着させる際に、本体１３よりも先端１５ａ側が手首と帯状体１５との間に巻き込まれることを防止できる。したがって、血圧情報測定装置１１を手首に装着する場合に、帯状体１５の先端１５ａ側が手首と帯状体１５との間に挟まれて外布１７が皮膚に触れることを防止でき、流体袋の圧力を手首に的確に伝えることができる。【選択図】図２
0003176530.tif 000002
【実用新案登録請求の範囲】
【請求項１】
内布と外布とが互いに貼り合わされて形成されると共に、上記内布と上記外布とで流体袋を挟み込んでいる帯状体と、
上記帯状体の長手方向一端側における被測定部位側とは反対側に位置する上記外布に取り付けられた血圧測定本体と、
上記帯状体の長手方向に関して、上記血圧測定本体から上記一端とは反対側の他端側に向かって所定の距離の位置と上記血圧測定本体との間における上記外布に設けられた第１面ファスナと、
上記帯状体の長手方向に関して、上記第１面ファスナと上記他端との間における上記外布に設けられた第２面ファスナと、
上記帯状体の長手方向に関して、上記血圧測定本体と上記一端との間の全領域に設けられたシート状の補強部材と、
上記帯状体における上記補強部材が設けられている領域に取り付けられると共に、上記帯状体の上記他端側が挿通される実質的に長円形状のリングと
を備え、
上記被測定部位に装着する場合に、上記被測定部位に上記帯状体を巻き付けた状態で上記帯状体の上記他端側を上記リングに挿通して折り返し、上記第２面ファスナを上記第１面ファスナに係止させることによって、上記被測定部位への装着状態を固定して保持する
ことを特徴とする血圧計。
【請求項２】
請求項１に記載の血圧計において、
上記補強部材は、布で形成されている
ことを特徴とする血圧計。
【請求項３】
請求項２に記載の血圧計において、
上記補強部材と上記帯状体とは互いに縫製されている
ことを特徴とする血圧計。
【請求項４】
請求項１から請求項３までの何れか一つに記載の血圧計において、
上記補強部材と上記帯状体の上記外布とは同じ材料である
ことを特徴とする血圧計。
【考案の詳細な説明】
【技術分野】
【０００１】
この考案は、生体の血圧を測定する血圧計に関する。
【背景技術】
【０００２】
従来、生体を圧迫するカフとして、例えば特開２０１１‐２００６８３号公報(特許文献１)に開示された生体圧迫装置がある。この生体圧迫装置は、図４に示すように、帯状体１の一端側に、流体袋２が設けられている。さらに、帯状体１の流体袋２よりも上記一端側でなる皮膚挟み防止タグ部３には、留め金具４が、被保持部５を中心に揺動可能に取り付けられている。
【０００３】
そして、上記皮膚挟み防止タグ部３の上記中間部に布でなる補強部材６を縫い付けて、皮膚挟み防止タグ部３における帯状体１の長手方向の中間部の曲げ剛性を上記長手方向の先端部の曲げ剛性よりも高めるようにしている。
【０００４】
しかしながら、上記従来の生体圧迫装置には、以下のような問題がある。すなわち、帯状体１の流体袋２よりも上記一端側の曲げ剛性を高めるための補強部材６は、皮膚挟み防止タグ部３の上記中間部のみに縫い付けられている。したがって、皮膚挟み防止タグ部３における上記中間部よりも先端側３aと上記中間部よりも中央側(流体袋２側)３bとには補強部材６が縫い付けられておらず、曲げ剛性は低い。
【０００５】
そのため、上記構成を有する生体圧迫装置を人体の上腕に巻き付ける場合に、皮膚挟み防止タグ部３の先端側３aが折れ曲がって、上記上腕と帯状体１との間に挟まれる場合があるという問題がある。つまり、上記生体圧迫装置を人体の上腕に巻き付ける際に、曲げ剛性が低い皮膚挟み防止タグ部３の先端側３aが、曲げ剛性が高い上記中間部に対して折れ曲がり、帯状体１の上記一端側とは反対側の他端側を留め金具４に通して折り返して引っ張る際に、上腕を返したときに先端側３aが上記上腕と帯状体１との間に入り込んでしまうのである。
【０００６】
さらに、急いで上記生体圧迫装置を上腕に巻き付けた際には、先端側３aと同様に曲げ剛性が低い皮膚挟み防止タグ部３の中央側３bが、曲げ剛性が高い流体袋２に対して折れ曲がり、それに気づかずに皮膚挟み防止タグ部３の略全体が、上記上腕と帯状体１との間に挟まれる場合もある。
【０００７】
ここで、上記帯状体１は、内面カバーと外面カバーとで流体袋２を挟み込んで構成されている。上記内面カバーは、皮膚に触れた際に触り心地がよく、且つ流体袋２の圧力を上腕に的確に伝えることができるように、薄く,柔らかく,伸縮性を有する布で形成されている。また、上記外面カバーは、上記内面カバーに比べて、厚く,丈夫で,伸縮性を有しない布で形成されている。そして、上述のように、上記皮膚挟み防止タグ部３の先端側３aや皮膚挟み防止タグ部３の略全体が上腕と帯状体１との間に挟まれた状態で、帯状体１の上記他端側を留め金具４に通して折り返し、帯状体１の上記他端側に設けられて面ファスナー７を構成するフックシート８をループシート９に係止させた場合には、上記外面カバー側が皮膚に触れることになる。そのため、触り心地が悪く、且つ流体袋２からの圧力を上腕に的確に伝えることができず、上記上腕の圧迫を妨げることになるという問題がある。
【０００８】
また、上記帯状体１における上腕に触れる部分に曲げ剛性の低い部分があるため、上記上腕に対して均一な圧迫力を与えることができず、上記生体圧迫装置を血圧測定用カフとして用いた場合に、正しい血圧測定値が得られないという問題もある。
【先行技術文献】
【特許文献】
【０００９】
【特許文献１】特開２０１１‐２００６８３号公報
【考案の概要】
【考案が解決しようとする課題】
【００１０】
そこで、この考案の課題は、人体の被測定部位に装着する際に帯状体の留め金具側の先端部が上記被測定部位と上記帯状体との間に挟まれることなく、上記帯状体の全体が上記被測定部位に密着することができる血圧計を提供することにある。
【課題を解決するための手段】
【００１１】
上記課題を解決するため、この考案の血圧計は、
内布と外布とが互いに貼り合わされて形成されると共に、上記内布と上記外布とで流体袋を挟み込んでいる帯状体と、
上記帯状体の長手方向一端側における被測定部位側とは反対側に位置する上記外布に取り付けられた血圧測定本体と、
上記帯状体の長手方向に関して、上記血圧測定本体から上記一端とは反対側の他端側に向かって所定の距離の位置と上記血圧測定本体との間における上記外布に設けられた第１面ファスナと、
上記帯状体の長手方向に関して、上記第１面ファスナと上記他端との間における上記外布に設けられた第２面ファスナと、
上記帯状体の長手方向に関して、上記血圧測定本体と上記一端との間の全領域に設けられたシート状の補強部材と、
上記帯状体における上記補強部材が設けられている領域に取り付けられると共に、上記帯状体の上記他端側が挿通される実質的に長円形状のリングと
を備え、
上記被測定部位に装着する場合に、上記被測定部位に上記帯状体を巻き付けた状態で上記帯状体の上記他端側を上記リングに挿通して折り返し、上記第２面ファスナを上記第１面ファスナに係止させることによって、上記被測定部位への装着状態を固定して保持する
ことを特徴としている。
【００１２】
ここで、上記「内布」および上記「外布」は、布だけではなく、一層あるいは複数層の樹脂からなっていても良い。
【００１３】
上記構成によれば、上記帯状体における上記血圧測定本体と上記一端との間の全領域にシート状の補強部材が設けられて、曲げ剛性が高められている。したがって、手で上記血圧測定本体を持っても、上記血圧測定本体よりも上記一端側が上記血圧測定本体に対して垂れ下がることはなく、上記血圧測定本体を上記被測定部位に密着させる際に上記血圧測定本体よりも上記一端側が上記被測定部位と上記帯状体との間に巻き込まれることを防止できる。
【００１４】
また、１実施の形態の血圧計では、
上記補強部材は、布で形成されている。
【００１５】
この実施の形態によれば、上記補強部材を布で形成しているので、布で形成されている上記帯状体に対して縫製によって取り付けることが容易である。
【００１６】
また、１実施の形態の血圧計では、
上記補強部材と上記帯状体とは互いに縫製されている。
【００１７】
この実施の形態によれば、上記補強部材と上記帯状体とは互いに縫製されているので、上記内布と上記外布とを互いに縫い合わせて上記帯状体を形成する工程において、上記補強部材を取り付けることが可能になる。
【００１８】
また、１実施の形態の血圧計では、
上記補強部材と上記帯状体の上記外布とは同じ材料である。
【００１９】
この実施の形態によれば、上記補強部材と上記外布とが同じ材料の布で構成されているので、上記補強部材用の材料を上記外布用の材料とは別に用意する必要がない。
【考案の効果】
【００２０】
以上より明らかなように、この考案の血圧計は、帯状体における血圧測定本体と一端との間の全領域が、シート状の補強部材によって曲げ剛性が高められている。したがって、例え、手で上記血圧測定本体を持っても、上記血圧測定本体よりも上記一端側が上記血圧測定本体に対して垂れ下がることはなく、上記血圧測定本体を被測定部位に密着させる際に、上記一端側が上記被測定部位と上記帯状体との間に巻き込まれることを防止できる。
【００２１】
すなわち、本血圧計を上記被測定部位に装着する場合に、上記血圧測定本体よりも上記一端側が手首と上記帯状体との間に挟み込まれて、上記外布が皮膚に触れることがない。したがって、丈夫で,伸縮性を有しない上記外布が皮膚に触れることにより上記流体袋の圧力を上記被測定部位に的確に伝えることができず、上記被測定部位の正常な圧迫が妨げられることを防止できる。
【図面の簡単な説明】
【００２２】
【図１】この考案の血圧計としての血圧情報測定装置の側面図である。
【図２】図１に示す血圧情報測定装置の平面図である。
【図３】図１に示す血圧情報測定装置の手首への装着状体を示す斜視図である。
【図４】従来の生体圧迫装置の平面図である。
【考案を実施するための形態】
【００２３】
以下、この考案を図示の実施の形態により詳細に説明する。図１は、本実施の形態の血圧計としての血圧情報測定装置における側面図である。
【００２４】
血圧情報測定装置１１は、被測定部位としての被験者の手首に装着され、手首から血圧を測定するものである。この血圧情報測定装置１１は、図１に示すように、カフ１２と、このカフ１２が上記手首に巻き付けられた装着状態にある場合に、カフ１２における上記手首側とは反対側の表側に取り付けられた本体１３とを含んでいる。本体１３は、カフ１２に対して、例えば接着剤等によって貼付されて取り付けられている。
【００２５】
ここで、上記「本体」とは、血圧情報測定装置の本体を意味する。上記本体には、例えば、上記流体袋に流体を供給して加圧するためのポンプや、加圧センサ、信号処理を行う制御部、測定結果を表示する表示部等が搭載されている。
【００２６】
上記カフ１２は、手首を圧迫するための流体袋１４と、この流体袋１４を内包する帯状体１５とを有している。この帯状体１５は、流体袋１４に対して上記手首側に位置する内布１６と、流体袋１４に対して上記手首と反対側に位置する外布１７とが互いに縫い合わせて(貼り合わされて)形成されている。外布１７の表面には、面ファスナが設けられており、この面ファスナによって、血圧情報測定装置１１の手首への装着状態を固定して保持するようになっている。
【００２７】
尚、本実施の形態においては、流体袋１４はＰＶＣ(polyvinyl chloride：ポリ塩化ビニル)製あるいはポリウレタン製であり、外布１７はポリエステル製であり、内布１６はポリアミド製あるいはポリウレタン製である。
【００２８】
ここで、上記内布１６は、流体袋１４の圧力を手首に的確に伝えるように、ポリアミドあるいはポリウレタンによって柔らかく,伸縮性を有するように形成されている。これに対して、外布１７は、丈夫で,伸縮性を有しないようにポリエステルで形成されている。
【００２９】
図２は、上記血圧情報測定装置１１を外布１７側から見た平面図である。カフ１２の帯状体１５は、指先側が細くなっている手首に巻き付けても螺旋状にならずに一箇所で巻き付けることが可能なように、平面視において、一部が指先側に向かって湾曲した形状を有している。
【００３０】
図２に示すように、上記帯状体１５における中央部から一端１５a側は、一直線状に形成されている。これに対して、上記中央部から一端１５a側とは反対側の他端１５b側は、手首に装着された際に指先側となる方に向かって湾曲して形成されている。そして、上記一直線状に形成されている部分(以下、直線部１５cと言う)における外布１７表面の略中間部には、カフ１２の流体袋１４内の圧力を検出して血圧を測定し、測定結果を表示する本体１３が取り付けられている。ここで、図２には現れていないが、図１から分かるように、流体袋１４は主として直線部１５cに設けられている。
【００３１】
上記面ファスナ１８は、上記直線部１５cの外布１７表面における本体１３よりも上記湾曲して形成されている部分(以下、湾曲部１５dと言う)側の領域に設けられた第１面ファスナ１９と、湾曲部１５dの外布１７表面における略全領域に設けられた第２面ファスナ２０とによって構成されている。尚、第１面ファスナ１９と第２面ファスナ２０との何れか一方はフック状に起毛されたフックシートであり、他方はループ状に起毛されたループシートである。尚、本実施の形態においては、面ファスナ１８は、ポリエステル製である。
【００３２】
上記直線部１５cの外布１７表面における本体１３よりも一端１５a(先端１５aと言う場合もある)側の領域には、全域に亘ってシート状の補強部材２１が設けられている。補強部材２１はポリエステル製の布であり、同じポリエステル製の外布１７の表面に、糸２２によって縁取り用のバイヤステープ２３を介して縫い付けられている。その際に、補強部材２１には、帯状体１５の全幅に亘ってひだを形成し、このひだの両側を平行に糸で縫ってループ２４を形成している。このループ２４には、実質的に長円形状を有する金属製のリング２５が揺動可能に挿通されている。
【００３３】
ここで、上記ループ２４において、手首に装着された際に指先側となる側が反対側よりも湾曲部１５d側に位置しており、直線部１５cの長手方向に対して傾斜を有している。こうすることによって、帯状体１５における湾曲部１５d側の他端１５b(先端１５bと言う場合もある)をリング２５に通し、折り返して引っ張る際に、手首の細い側が太い側よりもより強く引っ張られて、指先側と反対側とで太さが異なる手首に対して帯状体１５を略均等な力で巻き付けることができる。
【００３４】
上記構成を有する血圧情報測定装置１１は、以下のようにして、上記被測定部位としての手首に装着される。図３は、左手首に血圧情報測定装置１１を装着した場合の装着状体を示す斜視図である。
【００３５】
図３に示すように上記血圧情報測定装置１１を左手首に装着する場合には、先ず、右手に血圧情報測定装置１１の直線部１５cを持って、直線部１５cを左手首の手のひらに続く側である内側に載置させる。その際に、図４に示す従来の生体圧迫装置のごとく直線部１５cに曲げ剛性の低い箇所が一箇所でもある場合には、例えば右手で直線部１５cの本体１３を持った場合に、曲げ剛性の低い箇所よりも先端１５a側が本体１３に対して垂れ下がる。そのために、本体１３を左手首の上記内側に密着させる際に、曲げ剛性の低い箇所よりも先端１５a側が手首と帯状体１５との間に巻き込まれる恐れがある。
【００３６】
本実施の形態においては、上記直線部１５cにおける本体１３よりも先端１５a側の全域に亘ってシート状の補強部材２１が設けられている。したがって、帯状体１５における本体１３よりも先端１５a側全域の曲げ剛性が、補強部材２１が無い場合よりも一様に高められている。したがって、右手で直線部１５cの本体１３を持った場合でも、本体１３よりも先端１５a側が本体１３に対して垂れ下がることはない。そのために、本体１３を左手首の上記内側に密着させる際に、本体１３よりも先端１５a側が手首と帯状体１５との間に挟み込まれることが防止される。
【００３７】
尚、このことは、上記帯状体１５における直線部１５cを左手首の親指に続く側に載置させる場合も同様である。
【００３８】
次に、上記帯状体１５における湾曲部１５dを左手首に巻き付けて、湾曲部１５d側の先端１５bをリング２５に通す。そうした後、図３に示すように、リング２５を通過した先端１５b側を、リング２５の箇所で折り返して引っ張って適度な締め付け圧にする。そして、湾曲部１５dの第２面ファスナ２０を直線部１５cの第１面ファスナ１９係止させて、血圧情報測定装置１１の手首への装着状態を固定して保持するのである。
【００３９】
尚、上記帯状体１５における補強部材２１が設けられていない領域については、本体１３,流体袋１４,第１面ファスナ１９および第２面ファスナ２０の存在によって、高い曲げ剛性を有している。
【００４０】
以上のごとく、上記実施の形態においては、内布１６と外布１７とが互いに貼り合わされて形成されると共に、内布１６と外布１７とで流体袋１４を挟み込む帯状体１５を有している。そして、帯状体１５における中央部よりも一端１５a側の直線部１５cの略中間部には本体１３が取り付けられている。また、直線部１５cの外布１７表面における本体１３よりも他端１５b側に設けられた第１面ファスナ１９と、中央部よりも他端１５b側の湾曲部１５dの外布１７表面に設けられた第２面ファスナ２０とで構成された面ファスナ１８を有している。
【００４１】
さらに、上記帯状体１５の直線部１５cにおける本体１３よりも一端１５a側には、全域に亘ってシート状の補強部材２１が設けられて曲げ剛性が高められている。したがって、手で直線部１５cの本体１３を持ち上げても、本体１３よりも先端１５a側が本体１３に対して垂れ下がることはなく、本体１３を手首に密着させる際に本体１３よりも先端１５a側が手首と帯状体１５との間に巻き込まれることを防止できる。
【００４２】
すなわち、この考案によれば、上記血圧情報測定装置１１を手首に装着する場合に、本体１３よりも先端１５a側が手首と帯状体１５との間に挟み込まれて、外布１７が皮膚に触れることがない。したがって、丈夫で,伸縮性を有しない外布１７が皮膚に触れることにより流体袋１４の圧力を手首に的確に伝えることができず、手首の正常な圧迫が妨げられることを防止できるのである。
【００４３】
さらに、上記帯状体１５における手首に触れる部分に曲げ剛性の低い部分がないため、手首に対して略均一な圧迫力を与えることができ、本体１３によって正しい血圧測定値を得ることができる。
【００４４】
また、上記補強部材２１は、ポリエステル製の布で構成されており、同様にポリエステル製の布でなる外布１７に対して糸２２で縫い付けられている。したがって、内布１６と外布１７とを互いに縫い合わせて帯状体１５を形成する工程において、補強部材２１を取り付けることが可能になる。
【００４５】
さらに、上記補強部材２１と外布１７とが、同じポリエステル製の布で構成されているため、補強部材２１用の材料を外布１７用の材料とは別に用意する必要がない。
【００４６】
尚、上記実施の形態においては、上記補強部材２１を外布１７に縫い付けている。しかしながら、この考案は、これに限定されるものではなく、補強部材２１を外布１７に対して接着剤で貼り付けることも可能である。
【００４７】
また、上記実施の形態においては、上記補強部材２１によってリング２５が挿通されるループ２４を形成しているが、この考案は、これに限定されるものではない。例えば、ループ２４を、外布１７に取り付けられた補強部材２１上に、補強部材２１とは別体に形成しても良い。
【００４８】
また、上記実施の形態においては、上記補強部材２１を上記直線部１５cにおける外布１７の表面に設けている。しかしながら、この考案は、これに限定されるものではなく、補強部材２１を内布１６の表面に設けることも可能である。但し、その場合には、触り心地の点で、外布１７の表面に設けた場合に劣る。
【００４９】
また、上記実施の形態においては、上記補強部材２１を布で構成しているが、例えばフェルトやフレキブル性を有するフィルム等で構成しても良い。
【符号の説明】
【００５０】
１１…血圧情報測定装置
１２…カフ
１３…本体
１４…流体袋
１５…帯状体
１５a…一端
１５b…他端
１５c…直線部
１５d…湾曲部
１６…内布
１７…外布
１８…面ファスナ
１９…第１面ファスナ
２０…第２面ファスナ
２１…補強部材
２２…糸
２３…バイヤステープ
２４…ループ
２５…リング
【図１】
0003176530.tif 000003
【図２】
0003176530.tif 000004
【図３】
0003176530.tif 000005
【図４】
0003176530.tif 000006